(57)【要約】【課題】  パック詰め食品を廃棄処分する際、従来の分離装置ではできなかった、再利用可能な素材だけの純然たる破片と、ステープラ針が付いている破片やゴムバンドなどを仕分けできる分離装置を提供する。【解決手段】  分離装置１の排出口１０に、分離装置１内から排気される気流によって破片を比重別に仕分けするための仕分けカバー１１を配設し、その仕分けカバー１１の下方部をスリット１２ｂ、１３ｃを有する仕分けプレート１２、１３で構成し、また仕分けプレート１３の前後に開口１４、１５を形成し、包装部材を形成していた純然たる破片よりも比重が大であるステープラ針が付いている破片やゴムバンドが開口１４から放出され、また前記純然たる破片が開口１５から放出されて、それぞれを仕分けすることができるようにした。【選択図】  図１
2008029927.tif 000002
【特許請求の範囲】
【請求項１】
分離ケース内に投入された被処理物を、同分離ケース内で回転する破壊手段を備えた回転羽根によって破壊し、その破壊した被処理物における軽量の破片を、前記回転羽根により発生した気流により分離ケースに配設した排出口から外部に排出するようになっている分離装置であって、前記排出口に、前記気流により前記破片を比重別に仕分けするための仕分けカバーを、前記気流が略水平方向に流れるように突設しており、同仕分けカバーはその下方部を構成する仕分けプレートに所定の広さの開口をこの仕分けカバーの突設方向の少なくとも２箇所に形成してなる分離装置。
【請求項２】
前記仕分けプレートを、所定の幅のスリットを有するスノコ状部材よりなる通気部材で構成し、かつ前記スリットの長手方向を前記仕分けカバーの突設方向に向けて配設してなる請求項１に記載の分離装置。
【請求項３】
前記仕分けプレートの前記開口縁近傍を、開口の下方に向けて傾斜させてなる請求項１に記載の分離装置。
【請求項４】
前記仕分けプレートに形成する傾斜を、同仕分けプレートにおける前記仕分けカバーの基部側に遊端部が対向する側の方の傾斜範囲を広くし、かつその遊端部を、対向する通気部材の遊端部よりも下方に位置させてなる請求項３に記載の分離装置。
【請求項５】
前記開口を、仕分けカバーの突設方向に対し階段状に低くしながら配設してなる請求項１に記載の分離装置。
【発明の詳細な説明】
【技術分野】
【０００１】
本発明は、スーパーマーケット等で販売されているパック食品を廃棄処分する際に用いられる分離装置に関し、より詳しくは、内容物と分離されて分離装置の外部に排出される包装部材の破片を、比重別に分別できるように構成した分離装置に関する。
【背景技術】
【０００２】
分離装置の構造は、（例えば、特許文献１）のものがあって、この分離装置は、装置内に投入したパック食品の包装部材を破壊手段を備えた回転羽根によって破壊し、パック食品の内容物たる食べ物と、この食べ物を包装する包装部材とに分離した後、その破壊したパック食品の包装部材の破片を、回転羽根により発生した気流によって分離装置の排出口から外部に排出するようになっている。
【０００３】
【特許文献１】特開２００３−１７０１１７号公報（第１〜５頁、第１〜６図）
【発明の開示】
【発明が解決しようとする課題】
【０００４】
しかしながら、この回転羽根により発生した気流によって分離装置外部に排出された破片の中には、パックの蓋を固定するステープラ針が付いているもの、またパックの蓋を止めていたゴムバンドが混ざっているため、分離装置による分離が完了した後、前記排出された破片の中からステープラ針が付いている破片、またゴムバンドを手作業によって取り除き、ポリエチレンテレフタレート、スチロール樹脂素材で形成されている所定の再利用に提供できる純然たる破片だけに分別していた。
【０００５】
すなわち従来の分離装置では、パック食品の内容物たる食べ物と、この食べ物を包装する包装部材とに分離できるものの、分離装置内で食べ物と分離される際に破片となった包装部材を分離装置の外部に排出する際、包装部材を形成していた素材だけの純然たる破片と、ステープラ針が付いている破片やゴムバンドを分別できなかった。
【０００６】
このため、近年のエコロジー化推進の要求に応えるため、ポリエチレンテレフタレート、スチロール樹脂素材で形成されている所定の再利用に提供できる純然たる破片を人手により仕分けしなければならず、手間が掛かっていた。
【０００７】
本発明は、分離装置内で食べ物と分離される際に破片となった包装部材を分離装置の外部に排出する際、ポリエチレンテレフタレート、スチロール樹脂素材で形成された所定の再利用に提供できる包装部材の純然たる破片と、ステープラ針が付いている包装部材の破片やゴムバンドを仕分けできるよう構成した分離装置を提供できるようにした。
【課題を解決するための手段】
【０００８】
上述した課題を解決するために、本発明に係る分離装置は、分離ケース内に投入された被処理物を、同分離ケース内で回転する破壊手段を備えた回転羽根によって破壊し、その破壊した被処理物における軽量の破片を、前記回転羽根により発生した気流により分離ケースに配設した排出口から外部に排出するようになっている分離装置であって、前記排出口に、前記気流により前記破片を比重別に仕分けするための仕分けカバーを、前記気流が略水平方向に流れるように突設しており、同仕分けカバーはその下方部を構成する仕分けプレートに所定の広さの開口をこの仕分けカバーの突設方向の少なくとも２箇所に形成したものとしてある。
【０００９】
また前記仕分けプレートを、所定の幅のスリットを有するスノコ状部材よりなる通気部材で構成し、かつ前記スリットの長手方向を前記仕分けカバーの突設方向に向けて配設したものとしてある。
【００１０】
さらに、前記仕分けプレートの前記開口縁近傍を、開口の下方に向けて傾斜させたものとしてある。
【００１１】
また、前記仕分けプレートに形成する傾斜を、同仕分けプレートにおける前記仕分けカバーの基部側に遊端部が対向する側の方の傾斜範囲を広くし、かつその遊端部を、対向する通気部材の遊端部よりも下方に位置させたものとしてある。
【００１２】
また前記開口を、仕分けカバーの突設方向に対し階段状に低くしながら配設したものとしてある。
【発明の効果】
【００１３】
本発明の分離装置によれば、分離装置に備える分離ケースの排出口に、破片を比重別に仕分けする仕分けカバーが略水平方向に突設され、同仕分けカバーの下方部が仕分けプレートで構成され、かつ同仕分けプレートに所定の広さを有する開口が仕分けカバーの突設方向に少なくとも２箇所に形成されているので、廃棄処分となるパック食品は、分離ケース内で破壊手段を備えた回転羽根によってパック食品の包装部材が破壊されて、パック食品の内容物たる食べ物と、この食べ物を包装する包装部材の破片とに分離され、同破片が回転羽根により発生した気流によって分離ケースに配設した排出口からこの排出口に続いて配設された破片を比重別に仕分けする仕分けカバー内に排出される。
【００１４】
また、仕分けカバーの下方部を構成する仕分けプレートを通気部材で構成してあるものでは、分離ケースの排出口から排気された気流が通気部材で構成される仕分けプレートの全域で大気中に放出されるため、仕分けカバー内が分離ケース内に比して非常に狭くなっているにもかかわらず仕分けカバー内での乱気流の発生も殆どなく、分離ケースの排出口から排気された気流はスムースに大気中に放出される。すなわち、仕分けプレートの全域を通気部材で構成することにより、狭い仕分けカバー内における乱気流を防止できる。
【００１５】
そして、この分離ケースに配設した排出口から破片を比重別に仕分けする仕分けカバーに排出された破片は、同時に分離ケースに配設した排出口から排気された分離ケース内の回転羽根により発生した気流に乗って仕分けカバーの先端方向に向かって飛ばされ、その飛ばされている破片の中では、所定の再利用に提供できる包装部材の純然たる破片すなわちポリエチレンテレフタレート、スチロール樹脂素材で形成された破片の比重より、ステープラ針が付いている破片やゴムバンドの方の比重の方が大であるので、この重いステープラ針が付いている破片やゴムバンドは、仕分けカバー内に排出されるとすぐに落下しようとし、またこのとき仕分けカバーの下方部に配設した通気部材や開口から大気中に出ようとしている気流に乗って落下し、仕分けカバーの突設方向に少なくとも２箇所に形成している分離ケースの排出口に近傍の仕分けプレートに配設した開口に誘導されその開口から外部に放出される。
【００１６】
また、ステープラ針が付いている破片やゴムバンドよりも比重の小さいポリエチレンテレフタレート、スチロール樹脂素材で形成された所定の再利用に提供できる包装部材の純然たる破片は、分離ケース内の回転羽根により発生した気流に乗って仕分けカバー内に排出されても落下しにくく、仕分けカバーの先端近傍の同仕分けカバーの下方部に配設した通気部材や開口から大気中に出ようとしている気流に乗って落下し、仕分けカバーの突設方向に少なくとも２箇所に形成している分離ケースの排出口から遠方の仕分けプレートに配設した開口に誘導されその開口から外部に放出される。
【００１７】
そして、前述の分離ケースの排出口に近傍の通気部材に配設した開口や、分離ケースの排出口から遠方の通気部材に配設した開口の下方に容器体を配設しておくことにより、仕分けカバー内で仕分けされたポリエチレンテレフタレート、スチロール樹脂素材で形成された所定の再利用に提供できる包装部材の純然たる破片と、ステープラ針が付いている破片やゴムバンドをこれらの容器体に分別収容できる。
【００１８】
したがって、本分離装置の仕分けカバーは、同仕分けカバーの下方部を通気部材で構成していることにより、仕分けカバー内が分離ケース内に比して非常に狭くなっているにもかかわらず、分離ケース内の回転羽根により発生した気流が仕分けカバー内に排気されてもその気流が仕分けカバーの下方部に配設した通気部材からスムースに大気中に放出されるため、仕分けカバー内に排気された気流による乱気流の発生によって破片が仕分けカバー内で乱れ飛ぶようなことが殆どないので、分離装置内で食べ物と分離される際に破片となった包装部材を、狭い仕分けカバー内において確実にポリエチレンテレフタレート、スチロール樹脂素材で形成された所定の再利用に提供できる包装部材の純然たる破片と、ステープラ針が付いている破片やゴムバンドを比重別に仕分けすることができる。
【発明を実施するための最良の形態】
【００１９】
以下、本発明の分離装置を添付図面に基づいて説明する。
図１は、本発明に係る分離装置の一例を示す一部切欠き斜視図、図２は、図１の分離装置における仕分けカバー付近の一部拡大平面図である。
【００２０】
分離装置１は、廃棄処分するパック食品を投入するための投入口３が分離ケース２の上方に配設され、また分離ケース２の内部には、破壊部材６を投入口３の下方に配設した羽根５が回転軸４に取り付けられており、この羽根５は駆動部８内に設けたモータ（図示は省略）で回転軸４が回転駆動されることによって適宜の速度で回転する。また、羽根５の回転とともに羽根５に配設する破壊部材６も回転する。
【００２１】
そして、投入口３から投入されたパック食品（図示は省略）は、投入口３の下方に位置する羽根５とともに回転する破壊部材６によってパック食品の包装部材が破壊され、包装部材は適当な大きさの破片（図示は省略）となり、また包装部材の破壊によって内容物たる食べ物がパックの外部に放出され、この内容物たる食べ物は、駆動部８内に設けたモータで回転駆動される回転軸４に取り付けられた羽根５により、分離ケース２内で攪拌され、次第に細かくなって行き、そして分離ケース２内の下方に配設されている通孔９から分離ケース２外に排出されるようになっている。
また、本説明では、パック食品の内容物たる食べ物の処理過程、また処理部分の構造の詳しい説明は省略する。
【００２２】
そして、分離ケース２の投入口３から投入されて、羽根５とともに回転する破壊部材６によって破壊されたパック食品の包装部材の破片は、包装用のステープラ針が付いている破片、包装部材の蓋を閉じておくためのゴムバンド、そしてステープラ針が付いていない所定の再利用に提供できる純然たる破片に分かれて、分離ケース２内で回転する羽根５によって発生する排出口１０に向かう気流に乗って分離ケース２内を移動し、その排出口１０から仕分けカバー１１内に排出される。
【００２３】
この排出口１０から仕分けカバー１１内に排出された破片においては、図３に示すように、包装用のステープラ針が付いている破片および包装部材の蓋を閉じておくためのゴムバンドが、仕分けカバー１１内に排出されるとすぐに重力の影響を受けて落下しようとするとともに、このとき仕分けカバー１１の下方部に配設した仕分けプレート１２のスリット１２ｂや開口１４から仕分けカバー１１外に出ようとする分離ケース２内で回転する羽根５によって発生した気流（図３中の矢印ａ）に乗って落下し、そして開口１４に誘導されその開口１４から仕分けカバー１１外に放出される。
また、開口１４を飛び越えてしまうような破片は、仕分けプレート１３の傾斜部１３ｂの坂によって開口１４に誘導され、開口１４から仕分けカバー１１外に放出される。
【００２４】
そして、ステープラ針が付いていないポリエチレンテレフタレート、スチロール樹脂素材で形成された所定の再利用に提供できる包装部材の純然たる破片は、仕分けカバー１１内に排出されてもすぐには重力の影響を受けずに仕分けカバー１１の先端方向に向かって飛び続け、仕分けプレート１３のスリット１３ｂや開口１５から仕分けカバー１１外に出ようとする分離ケース２内で回転する羽根５によって発生した気流（図３中の矢印ｂ）に乗って落下し、そして開口１５に誘導されその開口１５から外部に放出される。
【００２５】
前述の仕分けカバー１１内に排気された気流が仕分けカバー１１外に排気される際、その気流は、仕分けプレート１２、１３のスリット１２ｂ、１３ｃよりも排気抵抗の少ない開口１４、１５から多く出ようとするので、気流とともに仕分けカバー１１外に放出される破片も、気流の排気抵抗の少ない開口１４、１５に誘導され易くなっている。
【００２６】
また、仕分けプレート１２、１３が所定の幅のスリット１２ｂ、１３ｃを有する通気部材たるスノコ状部材で構成され、またスリット１２ｂ、１３ｃの長手方向を仕分けカバー１１の突設方向、すなわち排出口１０から排気された気流の流れる方向に向けているので、仕分けプレート１２、１３上に落下した破片が気流によって仕分けプレート１２、１３上を滑ることができる。
【００２７】
そして、破片の引っ掛かりが発生しないように構成できれば、仕分けプレートをパンチング部材などの通気部材で構成する場合もある。
図１中の符号７は回転軸４の軸受、１２ａ、１３ａは仕分けプレート１２、１３の傾斜部である。
【００２８】
また、図１では示していないが、仕分けカバー１１の開口１４、１５の下方に容器体を配設しておくことで、仕分けカバー１１内で仕分けされたポリエチレンテレフタレート、スチロール樹脂素材で形成された所定の再利用に提供できる包装部材の純然たる破片が開口１５の下方の容器体に入り、また、ステープラ針が付いている破片やゴムバンドが開口１４の下方の容器体に入る。
【００２９】
図４、図５は、仕分けカバー１１内に配設する仕分けプレートのバリエーションを示し、破片を３種の重さのものに仕分けをするものである。また、図５は各仕分けプレート１２、１３、１６を仕分けカバー１１の突設方向、すなわち排出口１０から排気された気流の流れる方向に対し階段状に低くしながら配設したものである。
【００３０】
なお図中の符号１６は仕分けプレート、１６ａ、１６ｂは傾斜部、１７は開口である。また、仕分けプレート１６の平面図は省略しているが、図１で示す仕分けプレート１３と同じ形態である。
【図面の簡単な説明】
【００３１】
【図１】本発明に係る分離装置の一例を示す一部切欠き斜視図。
【図２】図１の分離装置における仕分けカバー付近の一部拡大平面図。
【図３】図１の分離装置における仕分けカバー付近の一部拡大断面図。
【図４】仕分けプレートの配設バリエーションを示す側面図。
【図５】仕分けプレートの配設バリエーションを示す側面図。
【符号の説明】
【００３２】
１  分離装置
２  分離ケース
３  投入口
４  回転軸
５  羽根
６  破壊部材
７  軸受
８  駆動部
９  通孔
１０  排出口
１１  仕分けカバー
１２  仕分けプレート
１２ａ  傾斜部
１２ｂ  スリット
１３  仕分けプレート
１３ａ  傾斜部
１３ｂ  傾斜部
１３ｃ  スリット
１４  開口
１５  開口
１６  仕分けプレート
１６ａ  傾斜部
１６ｂ  傾斜部
１７  開口
【図１】
2008029927.tif 000003
【図２】
2008029927.tif 000004
【図３】
2008029927.tif 000005
【図４】
2008029927.tif 000006
【図５】
2008029927.tif 000007